(57)【要約】【課題】商品陳列形態の自由度が高く、かつボリューム感のある陳列形態とすることができるようにした商品陳列用補助具を提供する。【解決手段】本発明の商品陳列用補助具９は、上面を前後方向に連続する凹凸面１３とした敷設シート１０と、該敷設シート１０の凹凸面１３に嵌合される凹凸面１４が下面に形成され、かつ上面に、前後方向を向く左右複数の嵌合溝１５が形成された陳列用ブロック１１と、前記嵌合溝１５に前後位置変更可能に嵌合され、陳列用ブロック１１の上面を左右に仕切る第１仕切部１２ａ、及び敷設シート１０の上面を左右に仕切る第２仕切部１２ｂからなる仕切り板１２とを備えている。【選択図】図３
2010179022.tif 000002
【特許請求の範囲】
【請求項１】
商品陳列什器における商品の支持面上に載置され、かつ上面に左右方向を向く凸条と凹条を前後方向に交互に形成することにより、上面を前後方向に連続する凹凸面とした敷設シートと、該敷設シートの凹凸面に嵌合される凹凸面が下面に形成され、かつ上面に、前後方向を向く左右複数の嵌合溝が形成された陳列用ブロックと、前記嵌合溝に前後位置変更可能に嵌合され、前記陳列用ブロックの上面を左右に仕切る第１仕切部、及び前記陳列用ブロックの前方において前記敷設シートの上面を左右に仕切る第２仕切部からなる仕切り板とを備えることを特徴とする商品陳列用補助具。
【請求項２】
仕切り板における第２仕切部の下端面を、敷設シートの凹凸面に嵌合される凹凸面としたことを特徴とする請求項１に記載の商品陳列用補助具。
【請求項３】
陳列用ブロックの嵌合溝を、陳列用ブロックの前面側に向かって連続するように形成し、前面側の嵌合溝に、仕切り板の第２仕切部の後端部を嵌合可能としたことを特徴とする請求項１または２に記載の商品陳列用補助具。
【発明の詳細な説明】
【技術分野】
【０００１】
本発明は、スーパーマーケットやコンビニエンスストア等において使用される商品陳列什器に用いられる商品陳列用補助具に関する。
【背景技術】
【０００２】
この種の従来の商品陳列用補助具には、階段状の商品陳列棚と仕切り板とを組み合わせたもの（例えば特許文献１及び２参照）や、上面を波形面とした敷設シートと、下面を前記敷設シートの波形面と噛み合う波形面とした陳列ブロックとを組み合わせたものなどがある（例えば、特許文献３参照）。
【先行技術文献】
【特許文献】
【０００３】
【特許文献１】特開２００１−１９７９８４号公報
【特許文献２】特開２００５−３４９１４５号公報
【特許文献３】特開２００８−２０６８０８号公報
【発明の概要】
【発明が解決しようとする課題】
【０００４】
前記特許文献１及び２に記載されている商品陳列用補助具のように、予め階段状に形成された商品陳列棚を使用すると、多種多様の商品に応じて、最適な陳列形態を採ることができないので、形状の異なる商品陳列棚を複数用意しておく必要があり、コストや保管の面で不利となる。
【０００５】
一方、前記特許文献３に記載されている商品陳列用補助具は、複数の陳列ブロックを、敷設シートの任意の位置に載置しうるので、商品の陳列形態の自由度が高い。しかしながら、複数の陳列ブロックだけでは、商品の種類等に応じて、陳列ブロック自体の商品陳列部を左右に区分けしたり、商品陳列部の商品を異なる態様で、かつボリューム感等をもたせるように陳列するには不十分であり、さらなる改良が求められていた。
【０００６】
本発明は、前記問題点を解決するためになされたもので、商品の陳列形態の自由度が高く、かつボリューム感のある陳列形態とすることができるようにした商品陳列用補助具を提供することを目的としている。
【課題を解決するための手段】
【０００７】
前記課題を解決するために、本発明の請求項１に記載の商品陳列用補助具は、
商品陳列什器における商品の支持面上に載置され、かつ上面に左右方向を向く凸条と凹条を前後方向に交互に形成することにより、上面を前後方向に連続する凹凸面とした敷設シートと、該敷設シートの凹凸面に嵌合される凹凸面が下面に形成され、かつ上面に、前後方向を向く左右複数の嵌合溝が形成された陳列用ブロックと、前記嵌合溝に前後位置変更可能に嵌合され、前記陳列用ブロックの上面を左右に仕切る第１仕切部、及び前記陳列用ブロックの前方において前記敷設シートの上面を左右に仕切る第２仕切部からなる仕切り板とを備えることを特徴としている。
この特徴によれば、敷設シートの上面の任意の位置に、陳列用ブロックを、前後方向に位置ずれを防止して載置し、この陳列用ブロックの上面と、敷設シートの上面との商品陳列部を、それぞれ、仕切り板の第１仕切部と第２仕切部とにより左右に区分けすることができるので、商品を種々の形態で陳列することができ、陳列形態の自由度が高まる。
また、敷設シートと陳列用ブロックの上面とを、仕切り板の第１仕切部と第２仕切部とにより連続して区分けし得るので、その区分けされた商品陳列部に、多くの商品を、陳列用ブロックを覆うように陳列することにより、ボリューム感のある陳列形態とすることができる。
さらに、構成が簡単で、特別な取付手段も不要であるので、商品陳列用補助具を既存の商品陳列什器にも容易に装着することができる。
【０００８】
本発明の請求項２に記載の商品陳列用補助具は、請求項１に記載の商品陳列用補助具であって、
仕切り板における第２仕切部の下端面を、敷設シートの凹凸面に嵌合される凹凸面としたことを特徴としている。
この特徴によれば、仕切り板に商品等が当たっても、これが簡単に前後方向に移動するのが防止される。
【０００９】
本発明の請求項３に記載の商品陳列用補助具は、請求項１または２に記載の商品陳列用補助具であって、
陳列用ブロックの嵌合溝を、陳列用ブロックの前面側に向かって連続するように形成し、前面側の嵌合溝に、仕切り板の第２仕切部の後端部を嵌合可能としたことを特徴としている。
この特徴によれば、仕切り板を後方に移動させたとき、その第２仕切部の後端部を前面側の嵌合溝に嵌合させることにより、仕切り板が安定し、これに陳列商品等が側方より当接した際などに、側方にぐらつくのが防止される。
【図面の簡単な説明】
【００１０】
【図１】本発明の商品陳列用補助具を備える冷蔵ショーケースの概略縦断側面図である。
【図２】商品陳列用補助具の斜視図である。
【図３】商品陳列棚と商品陳列用補助具の拡大縦断側面図である。
【図４】同じく、仕切り板を前方に移動させたときの縦断側面図である。
【図５】同じく、陳列用ブロックを前方に移動させたときの縦断側面図である。
【発明を実施するための形態】
【００１１】
本発明に係る商品陳列用補助具を実施するための形態を実施例に基づいて以下に説明する。
【実施例】
【００１２】
実施例に係る商品陳列用補助具につき、図１から図５を参照して説明する。図１は、本発明の商品陳列用補助具を備える、商品陳列什器としての一般的な冷蔵ショーケースの概略側面図で、冷蔵ショーケース１における内ケース２の背面板３の前面には、商品陳列棚４が取り付けられている。以下、図１の左方を前として説明する。
【００１３】
商品陳列棚４は、後端の上下複数の係合爪５を、背面板３に形成された上下複数の係合孔（図示略）に係合させることにより、前方を向くように取り付けられた左右１対（手前のもののみ図示する）のブラケット６と、両ブラケット６により左右の側端部が支持された金属板よりなる水平の棚板７と、棚板７の前端部に立設された左右方向を向くストッパ板８とからなり、商品の支持面である棚板７の上面に、本発明の商品陳列用補助具９が設けられている。
【００１４】
商品陳列用補助具９は、図２の拡大斜視図及び図３の拡大縦断側面図に示すように、棚板７の大きさとほぼ同じ大きさの合成樹脂等よりなる敷設シート１０と、この敷設シート１０の上面に載置される軟質合成樹脂等よりなる複数の陳列用ブロック１１と、この陳列用ブロック１１に取り付けられた左右複数の仕切り板１２とからなっている。
【００１５】
敷設シート１０の上面には、左右方向を向く凸条１３ａと凹条１３ｂを前後方向に交互に形成することにより、前後方向に連続する波形の凹凸面１３が形成されている。また、陳列用ブロック１１の下面には、前記凹凸面１３に上方より嵌合される、それと同形の波形の凹凸面１４が形成されている。従って、敷設シート１０の上面に、陳列用ブロック１１を、凹凸面１３、１４同士を嵌合させて載置すると、陳列ブロック１１が前後方向に位置ずれするのが防止され、かつ左右方向に摺動させて任意の位置まで移動することができる。
【００１６】
陳列用ブロック１１の上面と前面には、前後方向と上下方向を向くスリット状の複数の嵌合溝１５、１６が、互いに連続するようにして、左右方向に一定間隔おきに形成されている。尚、陳列用ブロック１１の上面には、果物等の球形状の商品の転び止めとなる凹部１１ａが形成されている。
【００１７】
仕切り板１２は、透明または半透明のアクリル板により形成され、前後方向を向く第１仕切部１２ａと、その前端に連設された斜め前下方を向く第２仕切部１２ｂを有している。第２仕切部１２ｂの下端面には、敷設シート１０の凹凸面１３に嵌合される波形の凹凸面１７が形成されている。
【００１８】
第１仕切部１２ａは、下端部が前記陳列用ブロック１１の上面の嵌合溝１５に前後位置変更可能に嵌合されて、陳列用ブロック１１の上面を左右に仕切るためのものである。なお、嵌合溝１５の深さは、それに嵌合された仕切り板１２が左右方向に簡単にぐらつかない程度とされている。
【００１９】
第２仕切部１２ｂは、陳列用ブロック１１の前方において、敷設シート１０の上面を左右に仕切るためのもので、陳列用ブロック１１の上面の嵌合溝１５の範囲内において前後位置を変更することができる。この際、下端面の凹凸面１７が陳列用ブロック１１の凹凸面１３に嵌合することにより、仕切り板１２に陳列商品等が当たっても、簡単に前後方向に位置ずれすることがない。
【００２０】
前記前面側の嵌合溝１６には、仕切り板１２を最後方まで移動させたときに、第２仕切部１２ｂの後端部が嵌合されるようになっており、仕切り板１２に陳列商品等が側方より当接した際などに、これが側方にぐらつくのが防止される。
【００２１】
次に、前記実施例の商品陳列用補助具９の使用例及び商品の陳列例について説明する。図３に示すように、敷設シート１０の後端部上面に、陳列用ブロック１１を、それらの凹凸面１３、１４同士が嵌合するように載置するとともに、左右複数の仕切り板１２を後限まで移動させた際には、敷設シート１０の前部側に、左右方向に連続する広い陳列スペースが確保されるので、その部分に多くの商品を載せて陳列することができる。
【００２２】
また、第１仕切部１２ａにより左右に区分けされた陳列用ブロック１１の上面と、第２仕切部１２ｂにより左右に区分けされた敷設シート１０の上面とに、種類等の異なる商品を連続して載置することができ、かつ多くの商品により陳列用ブロック１０を覆うように陳列することにより、ボリューム感のある陳列形態とすることができる。
【００２３】
さらに、図３の２点鎖線で示すように、左右の第１仕切部１２ａにより区分けされた陳列用ブロック１１の上面に、商品を受支するサポート台１８等を、左右方向への位置ずれを防止して載置したり、サポート台１８等を、陳列用ブロック１１の前上端と、第２仕切部１２ｂにより区分けされた部分の敷設シート１０の上面とにより、後傾させて、かつ左右方向と前後方向への位置ずれを防止して支持したりすることができる。
【００２４】
図４は、仕切り板１２のみを前方に移動させた例を示し、このようにすると、敷設シート１０の前端部が第２仕切部１２ｂにより左右に区分けされるので、種類等の異なる商品を左右方向に位置ずれしないように陳列することができる。
【００２５】
また、前後寸法の大きなサポート台１８等を、陳列用ブロック１１の前上端と、敷設シート１０の前端部上面とにより、後傾させて、かつ左右方向と前後方向への位置ずれを防止して支持したりすることができる。
【００２６】
図５は、陳列用ブロック１１を敷設シート１０の前後方向の中央部に載置し、陳列ブロック１１の後方の敷設シート１０に、上面に嵌合溝１９を有する前後寸法の小さな陳列用ブロック２０を載置した例である。このようにすると、前後の陳列用ブロック１１、２０の上面に広い陳列面が形成されるとともに、この陳列面を、前後寸法を大とした仕切り板１２における第１仕切部１２ａにより左右に区分けすることができるので、多くの商品を陳列したり、前後寸法の大きなサポート台１８等を載置したりすることができる。なお、前記使用例及び陳列形態に限らず、種々の使用形態を採ることができるのは勿論である。
【００２７】
以上説明したように、前記実施例の商品陳列用補助具９においては、上面に左右複数の嵌合溝１５を有する陳列用ブロック１１を、敷設シート１０の上面の任意の位置に前後方向に位置ずれを防止して載置することができ、かつ陳列用ブロック１１の上面と、敷設シート１０の上面との商品陳列部を、それぞれ、仕切り板１２の第１仕切部１２ａと第２仕切部１２ｂとにより左右に区分けすることができるので、商品を種々の形態で陳列することができ、陳列形態の自由度が高まる。
【００２８】
また、敷設シート１０と陳列用ブロック１１の上面とが、仕切り板１２の第１仕切部１２ａと第２仕切部１２ｂとにより連続して区分けされるので、その区分けされた商品陳列部に、多くの商品を、陳列用ブロック１０を覆うように陳列することにより、ボリューム感のある陳列形態とすることができる。
【００２９】
さらに、構成が簡単で、特別な取付手段も不要であるので、商品陳列用補助具を既存の商品陳列什器に容易に装着することができる。
【００３０】
前記実施例においては、商品の支持面である棚板７は水平をなすものとしたが、この棚板７を前下方に傾斜するものとしてもよい。この際には、棚板７と敷設シート１０とに、何らかの滑り止め手段を設ければよい。
【００３１】
本発明の商品陳列用補助具は、前記の冷蔵ショーケースに限らず、他の商品陳列什器にも適用し得ることは勿論である。
【符号の説明】
【００３２】
１                冷蔵ショーケース（商品陳列什器）
２                内ケース
３                背面板
４                商品陳列棚
５                係合爪
６                ブラケット
７                棚板（支持面）
８                ストッパ板
９                商品陳列用補助具
１０              敷設シート
１１              陳列用ブロック
１１ａ            凹部
１２              仕切り板
１２ａ            第１仕切部
１２ｂ            第２仕切部
１３              凹凸面
１３ａ            凸条
１３ｂ            凹条
１４              凹凸面
１５              嵌合溝
１６              嵌合溝
１７              凹凸面
１８              サポート台
１９              嵌合溝
２０              陳列用ブロック
【図１】
2010179022.tif 000003
【図２】
2010179022.tif 000004
【図３】
2010179022.tif 000005
【図４】
2010179022.tif 000006
【図５】
2010179022.tif 000007